(57)【要約】【課題】乳癌の超音波検診を行う際に、医師や被検者に対する負担の少ない胸部検診用椅子を提供する。【解決手段】胸部検診用椅子１は、座部４と、座部４に対してリクライニング可能な背もたれ部６と、を備え、背もたれ部６は、胸部検診用椅子１に着座した被検者の胸部にあたる位置に、表面から被検者に向かって進出可能な押出し機構１６を有する。【選択図】図１
2018057547.tif 000002
【特許請求の範囲】
【請求項１】
座部と、前記座部に対してリクライニング可能な背もたれ部と、を備え、
前記背もたれ部は、当該胸部検診用椅子に着座した被検者の胸部にあたる位置に、表面から前記被検者に向かって進出可能な押出し機構を有する、胸部検診用椅子。
【請求項２】
前記押出し機構は、前記被検者の左右の乳房にあたる位置に、それぞれ設けられている、請求項１に記載の胸部検診用椅子。
【請求項３】
前記背もたれ部の上方両側に、前記被検者側に向かって突出する突出部が形成されている、請求項１又は２に記載の胸部検診用椅子。
【請求項４】
前記背もたれ部は、前記被検者の背面を支持する背もたれ部本体と、
前記被検者の頭部を支持する頭部支持部と、を有し、
前記胸部検診用椅子は、前記背もたれ部本体に対する前記頭部支持部の位置を調整する位置調整機構をさらに備える、請求項１〜３の何れか１項に記載の胸部検診用椅子。
【発明の詳細な説明】
【技術分野】
【０００１】
本発明は、胸部検診用椅子に関し、特に、乳癌の健診に用いられる胸部検診用椅子に関する。
【背景技術】
【０００２】
乳癌の早期発見のためには、定期的な健診が重要である。乳癌検診の方法には、視触診、超音波検診、マンモグラフィー検診、ＣＴ・ＭＲＩ検診が挙げられる。これらの健診方法のうち超音波検診は、これまで、被検者を診察用ベッドに仰向けに寝かせて、女性の医者や検査技師が超音波プローブを被検者の乳房に当てて行っている。また、検診後には被検者をベッドサイドに座らせて、医者や検査技師による問診が行われる。
【発明の概要】
【発明が解決しようとする課題】
【０００３】
ここで、超音波検診は片側の乳房ずつ行うが、その際、被検者は検診対象の一方の乳房を突き出した体勢を取らなければならない。このため、医者や検査技師は、検診前に仰向けに寝た被検者の背中と診断用ベッドの間の一方の乳房に当たる位置に枕などのクッション材を配置し、一方の乳房の検査が完了した後に、被検者の背中と診断用ベッドの間の他方の乳房に当たる位置にクッション材を移動しなければならない。さらに、被検者は、検診の間、クッション材に支持されているものの、検診対象の胸部を突き出した体勢を維持する必要がある。
【０００４】
医者や検査技師は多数の被検者を検診することがあり、女性の医師や検査技師にとって、被検者の体を持ち上げて被検者の背中と診断用ベッドの間に枕を配置する作業は手間がかかる。また、被検者にとって片方の胸部を突き出した体勢を維持するのは非常に負担がかかる。
【０００５】
本発明は、上記の問題に鑑みなされたものであり、乳癌の超音波検診を行う際に、医師や被検者に対する負担の少ない胸部検診用椅子を提供することを目的としている。
【課題を解決するための手段】
【０００６】
本発明の胸部検診用椅子は、座部と、座部に対してリクライニング可能な背もたれ部と、を備え、背もたれ部は、胸部検診用椅子に着座した被検者の胸部にあたる位置に、表面から被検者に向かって進出可能な押出し機構を有する。
【０００７】
上記構成の本発明によれば、乳癌検診を行う際に、押出し機構を突出させることにより、被検者は乳房が突き出た状態となる。このため、女性の医師や検査技師であっても、容易に被検者に乳癌検診に適した体勢を取らせることができる。また、被検者も押出し機構により背中が支持されているため、負担なく乳房が突き出た体勢を維持することができる。
【０００８】
本発明において、好ましくは、押出し機構は、被検者の左右の乳房にあたる位置に、それぞれ設けられている。
乳癌検診は左右の乳房を一方ずつ行うが、上記構成の本発明によれば、検査対象の乳房側の押出し機構のみを突出させることにより、被検者を検査対象側の胸部のみが延びた体勢とすることができ、より精度の高い超音波検診を行うことができる。また、従来のように、胸部を支持するためのクッション材を一方の胸部の下方から、他方の胸部の下方に配置を変更する必要がなくなる。
【０００９】
本発明において、好ましくは、背もたれ部の上方両側に、被検者側に向かって突出する突出部が形成されている。
乳癌検診を行う際には、検査対象の乳房を突き出すとともに、検査対象の乳房側の腕を挙げた体勢を被検者が取ることが、検査精度の面から望まれる。上記構成の本発明によれば、被検者は突出部に検査対象側の腕を載置することができ、腕を挙げた体勢を維持する際の負担を軽減できる。
【００１０】
本発明において、好ましくは、背もたれ部は、被検者の背面を支持する背もたれ部本体と、被検者の頭部を支持する頭部支持部と、を有し、胸部検診用椅子は、背もたれ部本体に対する頭部支持部の位置を調整する位置調整機構をさらに備える。
【００１１】
上記構成の本発明によれば、頭部支持部の背もたれ部本体に対する位置を位置調整機構により適切に調整することにより、乳癌検診の際に背もたれ部をリクライニングさせても、頭部支持部により被検者の頭部が適切に支持されているため、被検者の乳癌検診の際の負担を削減することができる。また、位置調整機構により頭部支持部を背もたれ部本体に近接させることにより、被検者ののどが延びた状態となり、甲状腺の検査を行うことができる。
【発明の効果】
【００１２】
本発明によれば、乳癌の視触診又は超音波検診を行う際に、医師や被検者に対する負担の少ない胸部検診用椅子が提供される。
【図面の簡単な説明】
【００１３】
【図１】本発明の一実施形態による胸部検診用椅子を示す斜視図であり、リクライニングしていない状態を示す。
【図２】本発明の一実施形態による胸部検診用椅子を示す斜視図であり、リクライニングした状態を示す。
【図３】図１に示す胸部検診用椅子の背もたれ部を示す背面図である。
【図４】図１に示す胸部検診用椅子の背もたれ部を示す側面図である。
【図５】押出し機構の駆動を説明するための図であり、（Ａ）は退行した状態を示し、（Ｂ）は突出した状態を示す。
【図６】押出し機構により一方のクッションが背もたれ部本体の表面から突出した状態を示す斜視図である。
【図７】位置調整機構により頭部支持部を背もたれ部本体に対して離間させた状態を示す斜視図である。
【図８】頭部支持部を示す斜視図である。
【図９】図１に示す胸部検診用椅子を用いて乳癌の検査を行っている様子を示す斜視図である。
【図１０】図１に示す胸部検診用椅子を用いて甲状腺の検査を行っている様子を示す斜視図である。
【発明を実施するための形態】
【００１４】
以下、本発明の一実施形態による胸部検診用椅子を、図面を参照しながら詳細に説明する。
図１及び図２は、本発明の一実施形態による胸部検診用椅子を示す斜視図であり、図１はリクライニングしていない状態（以下、非リクライニング状態という）を示し、図２はリクライニングした状態を示す。図１に示すように、胸部検診用椅子１は、基台２に支持された座部４と、座部４に対してリクライニング可能な背もたれ部６と、非リクライニング状態で座部４の前方から下方に延びるフットレスト８と、フットレスト８の下端から水平方向に延びるステップ１０と、を備える。
【００１５】
座部４は、上面がクッション材で覆われており、基台２の上部に固定されている。座部４の両側には肘掛け４ａがそれぞれ設けられている。
背もたれ部６は、その下端が、座部４に対して上部が後方に向かって傾斜するように回動可能に支持されている。背もたれ部６は、不図示の電動油圧リクライニング機構により、傾斜角度を変更することができる。電動油圧リクライニング機構としては、公知のものを適用することができる。
【００１６】
また、背もたれ部６は、座部４に連続する背もたれ部本体１２と、非リクライニング状態で背もたれ部本体１２の上方に位置する頭部支持部１４と、を有する。背もたれ部本体１２及び頭部支持部１４の被検者側の表面はクッション材で覆われている。
【００１７】
フットレスト８は、その上端が、座部４に対して下部が前方に進出するように回動可能に支持されており、表面がクッション材で覆われている。フットレスト８はリクライニング機構とのリンク機構により、傾斜角度を変更することができる。
ステップ１０は、後端がフットレスト８の下端に接続されている、ステップ１０の角度は、リクライニング機構とのリンク機構により、変更することができる。
【００１８】
図１に示すように、非リクライニング状態では、背もたれ部６は、上部が鉛直方向から後方に向かってわずかに傾斜しており、フットレスト８は略鉛直方向に延びており、ステップ１０は略水平になっている。これに対して、リクライニング状態では、背もたれ部６は水平に近い状態まで後方に向かって傾斜し、フットレスト８は水平に近い状態まで前方に向かって傾斜し、ステップ１０はフットレスト８と略平行になるまで傾斜している。なお、リクライニング機構は不図示のリモコンに接続されており、リモコンを操作することにより非リクライニング状態と、リクライニング状態とを切り替えることができる。
【００１９】
図３及び図４は、図１に示す胸部検診用椅子の背もたれ部を示し、図３は背面図であり、図４は側面図である。なお、図３において、第１の支持部材２２は二点鎖線にて示す。
背もたれ部６の背もたれ部本体１２には、被検者の左右の胸部に当たる位置に表面から突出可能な一対の押出し機構１６がそれぞれ設けられている。また、背もたれ部６には、背もたれ部本体１２に対する頭部支持部１４の位置を調整するための位置調整機構１５が設けられている。一対の押出し機構１６及び位置調整機構１５はそれぞれリモコンにより操作可能である。
【００２０】
押出し機構１６は、背もたれ部本体１２の背面に固定されたアクチュエータ１８と、リンク機構２０と、リンク機構に支持されたパッド１７と、により構成される。背もたれ部本体１２には、被検者の両胸部（両乳房）に相当する位置に開口が設けられている。また、背もたれ部本体１２の背面には、コの字状の第１の支持部材２２が、上下が開口するように取り付けられている。第１の支持部材２２の前方の面には、横方向に間隔を開けて上下方向に延びるように立設された側板部２２ａが設けられている。側板部２２ａには円形の軸孔２２ｂが形成されている。
【００２１】
また、背もたれ部本体１２の背面の第１の支持部材２２の内側には、第２の支持部材２４が取り付けられている。第２の支持部材２４は、両側縁に立設された一対の側板２４ａを有し、側板２４ａには上部に円形の軸孔２４ｂが形成されており、下部には上下方向に延びる長孔２４ｃが形成されている。
アクチュエータ１８のピストン２６の先端には軸孔２６ａが形成されている。
【００２２】
リンク機構２０は、第１のリンク部材２８及び第２のリンク部材３０と、第１から第５の軸ピン３２、３４、３６、３８、４０を有する。第１のリンク部材２８及び第２のリンク部材３０には、それぞれ、下方の軸孔２８ａ、３０ａと、中央の軸孔２８ｂ、３０ｂと、上方の軸孔２８ｃ、３０ｃと、が形成されている。
【００２３】
第１の軸ピン３２は、アクチュエータ１８のピストン２６に形成された軸孔２６ａと、第１のリンク部材２８の下方の軸孔２８ａとを挿通している。これにより、ピストン２６の先端と第１のリンク部材２８の下端とは、回転自在に接続されている。
【００２４】
第２の軸ピン３４は、第１の支持部材２２の側板部２２ａに形成された軸孔２２ｂと、第２のリンク部材３０の上方の軸孔３０ｃとを挿通している。これにより、第２のリンク部材３０の上端は、第１の支持部材２２に回転可能に接続されている。
【００２５】
第３の軸ピン３６は、第１のリンク部材２８の中央の軸孔２８ｂと、第２のリンク部材３０の中央の軸孔３０ｂとを挿通している。これにより、第１のリンク部材２８と、第２のリンク部材３０とは、各部材の中央において回転可能に接続されている。
【００２６】
第４の軸ピン３８は、第２の支持部材２４の側板２４ａの長孔２４ｃと第２のリンク部材３０の下方の軸孔３０ａとを挿通している。これにより、第２のリンク部材３０の下端は、第２の支持部材２４に対して回転可能、かつ、上下方向に摺動可能に接続されている。
【００２７】
第５の軸ピン４０は、第１のリンク部材２８の上方の軸孔２８ｃと、第２の支持部材２４の側板２４ａの軸孔２４ｂとを挿通している。これにより、第１のリンク部材２８の上端部は、第２の支持部材２４に対して回転可能に接続されている。
【００２８】
次に、押出し機構１６の駆動について説明する。図５は、押出し機構の駆動を説明するための図であり、（Ａ）は退行した状態を示し、（Ｂ）は突出した状態を示す。また、図６は、押出し機構により一方のクッションが背もたれ部本体の表面から突出した状態を示す斜視図である。図５（Ａ）に示すように、押出し機構１６が退行した状態では、アクチュエータ１８のピストン２６は収縮している。この状態では、図１、２に示すように、パッド１７の表面は背もたれ部本体１２の表面から突出せず、略等しい高さとなっている。次に、パッド１７を背もたれ部本体１２から突出させるためには、アクチュエータ１８のピストン２６を伸長させる。ピストン２６を伸長させると、アクチュエータ１８が背もたれ部本体１２に固定されているため、ピストン２６の軸孔２６ａを挿通する第１の軸ピン３２が背もたれ部本体１２に沿って上昇する。これに対して、第２の軸ピン３４は、背もたれ部に固定された第１の支持部材２２の軸孔２２ｂを挿通しているため、移動が規制されている。このため、ピストン２６を伸長させることにより、第１の軸ピン３２と第２の軸ピン３４とが近接するそして、このように第１の軸ピン３２と第２の軸ピン３４とが近接すると、第１のリンク部材２８と第２のリンク部材３０とが第３の軸ピン３６を中心として回動する。これにより、図５（Ｂ）に示すように、第１及び第２の軸ピン３２、３４に対して第４及び第５の軸ピン３８、４０が離間する。この際、第４の軸ピン３８は第２の支持部材２４の長孔２４ｃに挿通しており、第５の軸ピン４０は第２の支持部材２４の軸孔２４ｂを挿通しているため、第４の軸ピン３８は第５の軸ピン４０に向かって摺動する。これにより、図５（Ｂ）及び図６に示すように、パッド１７が背もたれ部本体１２の表面から突出する。なお、押出し機構１６が突出した状態から、アクチュエータ１８のピストン２６を収縮させることにより、パッド１７を退行させることができる。
【００２９】
次に、位置調整機構１５について説明する。位置調整機構１５は、背もたれ部６の両側部に設けられた一対のリニアガイド（直動ベアリング）５０と、アクチュエータ５２とを含む。図７は、位置調整機構により頭部支持部を背もたれ部本体に対して離間させた状態を示す斜視図である。
リニアガイド５０は、背もたれ部本体１２の背面に上下方向に延びるように設けられたガイドレール５４と、頭部支持部１４の背面に取り付けられた摺動部５６とを有する。ガイドレール５４は、背もたれ部本体１２と平行に延びており、背もたれ部本体１２から上方に突出している。摺動部５６はガイドレール５４に沿って、横方向移動が規制された状態で摺動可能な部材である。これらリニアガイド５０により、頭部支持部１４は、ガイドレール５４の延びる方向に横方向移動が規制された状態で、背もたれ部本体１２に対して離間するように移動することができる。
アクチュエータ５２のピストン５８の先端は、頭部支持部１４の背面に取り付けられた接続部材６０に接続されている。
【００３０】
このような構成により、位置調整機構１５は、アクチュエータ５２によりピストン５８を進退させることで、図７に示すように、頭部支持部１４を、背もたれ部本体１２に対して、背もたれ部６の延びる方向に近接又は離間させることができる。
【００３１】
次に、頭部支持部１４の詳細な構成について説明する。図８は、頭部支持部を示す斜視図である。図８に示すように、頭部支持部１４は、中央の前面側に設けられたヘッドレスト部６２と、両側に設けられた一対の腕支持部（突出部）６４とを有する。
ヘッドレスト部６２は、両側に表面から突出する突出部６２ａを有し、突出部６２ａの間には、湾曲凹部６２ｂが形成されている。突出部６２ａの表面は縦方向断面において下部に頂点が位置するような湾曲形状となっている。湾曲凹部６２ｂは横方向断面において背面側に凸となるような湾曲形状となっている。
【００３２】
腕支持部６４は、頭部支持部１４の両側から上方に向かって延びており、頭部支持部１４の表面から前方に突出している。頭部支持部１４は略矩形状であり、前面は平坦に形成されている。
【００３３】
以下、上記説明した胸部検診用椅子１を用いて乳癌及び甲状腺の検査を行う方法について説明する。図９は、図１に示す胸部検診用椅子を用いて乳癌の検査を行っている様子を示す斜視図であり、図１０は、図１に示す胸部検診用椅子を用いて甲状腺の検査を行っている様子を示す斜視図である。
【００３４】
検査の前の段階では、胸部検診用椅子１は非リクライニング状態となっている。検診の際には、被検者は胸部検診用椅子１に着座する。医師又は検査技師は、被検者が胸部検診用椅子１に着座すると、リモコンを操作して、被検者の首の背面側の部分が、頭部支持部１４のヘッドレスト部６２の湾曲凹部６２ｂに当接支持される位置まで、位置調整機構１５により頭部支持部１４を背もたれ部本体１２から離間するように操作する。
【００３５】
次に、医師又は検査技師は、リモコンを操作して胸部検診用椅子１をリクライニング状態にする。乳癌検査は片側の乳房ずつ行う。ここでは、例として最初に右側の乳房の乳癌検査を行う場合について説明する。医師又は検査技師はリモコンを操作して、図９に示すように、右側の押出し機構１６によりクッションを背もたれ部本体１２の表面によりも前方に突出させる。これにより、被検者Ｐの右側の乳房が突き出た状態となる。さらに、被検者Ｐに右手を挙げて左側の腕支持部６４に載置させる。これにより、被検者Ｐの胸部が延びた状態となる。このような状態で、医師又は検査技師は、超音波プローブを被検者Ｐの右側の乳房に当て超音波検診を行う。
【００３６】
次に、右側の乳房の乳癌検診が終了したら、医師又は検査技師はリモコンを操作して、右側の押出し機構１６を退行させるとともに、左側の押出し機構１６によりクッション１７を背もたれ部本体１２の表面によりも前方に突出させる。さらに、被検者Ｐに左手を挙げて左手の腕支持部６４に載置させる。このような状態で、医師又は検査技師は、超音波プローブを被検者Ｐの左側の乳房に当て超音波検診を行う。
【００３７】
次に、左側の乳房の乳癌検診が終了したら、医師又は検査技師はリモコンを操作して、右側の押出し機構１６を退行させる。さらに、医師又は検査技師はリモコンを操作して、図１０に示すように、位置調整機構１５により頭部支持部１４が背もたれ部本体１２から近接するように操作する。これにより、被検者Ｐの頭部が下がった状態となり、被検者Ｐののどが延びた状態となる。このような状態で、医師又は検査技師は、超音波プローブを被検者Ｐののどに当て甲状腺の検診を行う。
甲状腺の検査が終了したら、医師又は検査技師は、リモコンを操作して胸部検診用椅子１を非リクライニング状態に戻し、必要に応じて問診等を行う。
【００３８】
本実施形態によれば、以下の効果が奏される。
上記実施形態によれば、乳癌検診を行う際に、押出し機構１６を突出させることにより、被検者Ｐは乳房が突き出た状態となる。このため、女性の医師や検査技師であっても、容易に被検者Ｐに乳癌検診に適した体勢を取らせることができる。また、検査中、被検者Ｐも押出し機構１６により背中が支持されているため、負担なく乳房が突き出た体勢を維持することができる。
【００３９】
また、上記実施形態では、押出し機構１６が、被検者の左右の乳房にあたる位置に、それぞれ設けられている。乳癌検診は左右の乳房を一方ずつ行うが、上記実施形態によれば、検査対象の乳房側の押出し機構１６のみを突出させることにより、被検者Ｐを検査対象側の胸部のみが延びた体勢とすることができ、より精度の高い超音波検診を行うことができる。また、従来のように、胸部を支持するためのクッション材を一方の胸部の下方から、他方の胸部の下方に配置を変更する必要がなくなる。
【００４０】
また、本実施形態では、背もたれ部６の上方両側に、被検者Ｐ側に向かって突出する腕支持部６４が形成されている。乳癌検診を行う際には、検査対象の乳房を突き出すとともに、検査対象の乳房側の腕を挙げた体勢を被検者Ｐが取ることが、検査精度の面から望まれる。これに対して、本実施形態によれば、被検者Ｐは腕支持部６４に検査対象側の腕を載置することができ、腕を挙げた体勢を維持する際の負担を軽減できる。
【００４１】
また、本実施形態では、背もたれ部６は、被検者Ｐの背面を支持する背もたれ部本体１２と、被検者Ｐの頭部を支持する頭部支持部１４と、を有し、胸部検診用椅子１は、背もたれ部本体１２に対する頭部支持部１４の位置を調整する位置調整機構１５を備える。本実施形態によれば、頭部支持部１４の背もたれ部本体１２に対する位置を位置調整機構１５により適切に調整することにより、乳癌検診の際に背もたれ部６をリクライニングさせても、頭部支持部１４により被検者Ｐの頭部が適切に支持されているため、被検者Ｐの乳癌検診の際の負担を削減することができる。また、位置調整機構１５により頭部支持部１４を背もたれ部本体１２に近接させることにより、被検者Ｐののどが延びた状態となり、乳癌検査に合わせて甲状腺の検査を行うことができる。
【００４２】
なお、上記実施形態では、超音波検診により乳癌検診を行う場合について説明したが、これに限らず、視触診により乳癌検診を行う場合であっても本発明は好適である。
【符号の説明】
【００４３】
１  胸部検診用椅子
２  基台
４  座部
６  背もたれ部
８  フットレスト
１０  ステップ
１２  背もたれ部本体
１４  頭部支持部
１５  位置調整機構
１６  押出し機構
１７  パッド
１８  アクチュエータ
２０  リンク機構
２２  第１の支持部材
２２ａ  側板部
２２ｂ  軸孔
２４  第２の支持部材
２４ａ  側板
２４ｂ  軸孔
２４ｃ  長孔
２６  ピストン
２６ａ  軸孔
２８  第１のリンク部材
２８ａ  下方の軸孔
２８ｂ  中央の軸孔
２８ｃ  上方の軸孔
３０  第２のリンク部材
３０ａ  下方の軸孔
３０ｂ  中央の軸孔
３０ｃ  上方の軸孔
３２  第１の軸ピン
３４  第２の軸ピン
３６  第３の軸ピン
３８  第４の軸ピン
４０  第５の軸ピン
５０  リニアガイド
５２  アクチュエータ
５４  ガイドレール
５６  摺動部
５８  ピストン
６０  接続部材
６２  ヘッドレスト部
６２ａ  突出部
６２ｂ  湾曲凹部
６４  腕支持部
Ｐ  被検者
【図１】
2018057547.tif 000003
【図２】
2018057547.tif 000004
【図３】
2018057547.tif 000005
【図４】
2018057547.tif 000006
【図５】
2018057547.tif 000007
【図６】
2018057547.tif 000008
【図７】
2018057547.tif 000009
【図８】
2018057547.tif 000010
【図９】
2018057547.tif 000011
【図１０】
2018057547.tif 000012